(57)【要約】      （修正有）【課題】照明に関するエリア単位の制御を容易にする多灯照明システムを提供する。【解決手段】多灯照明システム１００は、多数の照明ユニット（１１０、１２０・・・）から成り、照明ユニットＡ１１０は、カラー光を作るためのＲＧＢの３原色のＬＥＤユニット１１１、１１２、１１３と、このＬＥＤユニット１１１〜１１３の照度を％単位で制御するためのＬＥＤ照度ユニット１１４又はＬＥＤユニットのオン・オフを制御するためのＬＥＤオン・オフユニット１１５の少なくともいずれか一方と、制御端末からの命令を理解し制御を行うための制御部１１６と、制御端末からのリモコン信号を受信するためのリモコン受信部１１８と、他の照明ユニットと連携するための通信部１１７とを有している。照明ユニットは、ＬＥＤ照度ユニット１１４を具備することで、照度を個別に、かつ、スケーラブルに制御できるため、段階的な明るさの制御も可能である。【選択図】図２
2008262856.tif 000002
【特許請求の範囲】
【請求項１】
光源と、該光源をオン・オフ制御する制御部と、制御端末からの制御信号を受け取るリモコン受光部と、を有する照明ユニットを行列状に多数備えることを特徴とする多灯照明システム。
【請求項２】
さらに、前記照明ユニット間の通信を行う通信部をそれぞれの照明ユニットが備えることを特徴とする請求項１に記載の多灯照明システム。
【請求項３】
光源と、該光源をオン・オフ制御する制御部と、前記照明ユニット間の通信を行う通信部と、を有する照明ユニットを行列状に多数備え、制御端末からの制御信号を受け取るリモコン受光部を少なくともいずれかの照明ユニットが備えていることを特徴とする多灯照明システム。
【請求項４】
前記光源は、ＬＥＤ又は有機ＥＬであることを特徴とする請求項１から３までのいずれか１項に記載の多灯照明システム。
【請求項５】
請求項３に記載の多灯照明システムを制御する制御端末であって、
その動作を感知する動作感知部と、
動作範囲と動作種別の少なくともいずれか一方に関する前記動作感知部の感知に基づいて、動作データを記憶するメモリと、
該メモリに記憶された動作データに基づいて、前記照明ユニットのオン・オフ制御とその対象エリアとを演算する演算部と、
該演算部により演算された制御信号を発信するリモコン発信部と
を有することを特徴とする制御端末。
【請求項６】
前記動作種別は、オン・オフのいずれかであることを特徴とする請求項５に記載の制御端末。
【請求項７】
指示する方向を示すレーザポインタを有することを特徴とする請求項５又は６に記載の制御端末。
【請求項８】
前記動作感知部は、加速度センサと、照明装置が設けられた位置に取り付けられた赤外線受信機からの信号を受け取る赤外線受光部と、を有することを特徴とする請求項５から７までのいずれか１項に記載の制御端末。
【請求項９】
前記動作感知部は、加速度センサと、該加速度センサ内に設けられた姿勢情報取得部とを有することを特徴とする請求項５から７までのいずれか１項に記載の制御端末。
【発明の詳細な説明】
【技術分野】
【０００１】
本発明は、多灯照明システムに関し、特に、明るさに関する制御技術に関する。
【背景技術】
【０００２】
従来の家庭用の照明装置は、蛍光灯などの光源を用い、１つの照明で広範囲を照らすことを目的としている。また、一部の家庭やオフィスにおいて複数個の照明を等間隔で設置することで、部分的なエリア制御を行っている。また、複数個の照明の制御に関しても、照明の数だけのスイッチを用意し、そのオン・オフで制御を行ったり、複数回ボタンを押すことで徐々に特定の照明を絞り込んだりする方法(特許文献１参照)が提案されている。
【０００３】
【特許文献１】特開２００１−３１３１８３号公報
【発明の開示】
【発明が解決しようとする課題】
【０００４】
上記のように、１つの照明で広範囲を照らすタイプのものでは、広いエリアにおける制御の場合は別として一般的な部屋などの狭いエリア内で明るさの制御を行うことはできなかった。例えば、眠っている人がいる場合は、部屋全体の照度を暗くし、自分はスタンド等の別の照明手段を使用する必要があった。また、部分的なエリア制御に関しても、照明が持つ指向性の問題もあって厳密なエリア制御はできないという問題もある。さらに、上記特許文献１に記載の方法も、操作は非常に煩雑であるという問題があった。
本発明は、照明に関するエリア単位の制御を容易にすることを目的とする。
【課題を解決するための手段】
【０００５】
本発明は、ＬＥＤなどの光源をシート状に並べ多灯照明として使うことを特徴とする。これにより、照らし出す範囲を細かく設定することを可能となる。また、その操作を簡単にすることができる。
【０００６】
本発明の一観点によれば、光源と、該光源をオン・オフ制御する制御部と、制御端末からの制御信号を受け取るリモコン受光部と、を有する照明ユニットを行列状に多数備えることを特徴とする多灯照明システムが提供される。リモコン受光部における制御信号の受信に基づいて、照明ユニット毎に独立してオン・オフ制御することができる。さらに、前記照明ユニット間の通信を行う通信部をそれぞれの照明ユニットが備えることが好ましい。
【０００７】
また、光源と、該光源をオン・オフ制御する制御部と、前記照明ユニット間の通信を行う通信部と、を有する照明ユニットを行列状に多数備え、制御端末からの制御信号を受け取るリモコン受光部を少なくともいずれかの照明ユニットが備えていることを特徴とする多灯照明システムが提供される。前記光源は、ＬＥＤ又は有機ＥＬであることが好ましい。
【０００８】
また、上記多灯照明システムを制御する制御端末であって、その動作を感知する動作感知部と、動作範囲と動作種別の少なくともいずれか一方に関する前記動作感知部の感知に基づいて、動作データを記憶するメモリと、該メモリに記憶された動作データに基づいて、前記照明ユニットのオン・オフ制御とその対象エリアとを演算する演算部と、該演算部により演算された制御信号を発信するリモコン発信部と、を有することを特徴とする制御端末が提供される。前記動作種別は、オン・オフのいずれかであることが好ましい。指示する方向を示すレーザポインタを有することもできる。前記動作感知部は、加速度センサと、照明装置が設けられた位置に取り付けられた赤外線受信機からの信号を受け取る赤外線受光部と、を有することが好ましい。前記動作感知部は、加速度センサと、該加速度センサ内に設けられた姿勢情報取得部とを有しているのが好ましい。これにより、動き出す前の状態(姿勢)のデータを元に姿勢補正が可能である。
【発明の効果】
【０００９】
本発明によれば、ユーザの活動等に合わせたエリア単位の明るさの調整を可能にする。すなわち、個人の活動範囲に合わせた狭いエリアでの照明の制御を行うことと、煩雑になりがちなエリア単位の制御を簡単な操作で実現することができる。
【発明を実施するための最良の形態】
【００１０】
以下に、本発明の一実施の形態による多灯照明システムについて、図面を参照しながら説明を行う。図１は、本発明の第１の実施の形態による多灯照明システムの全体構成例を示す概略図である。図１に示すように、本実施の形態による多灯照明システム１００は、
多数の照明ユニットＡ１１０、Ｂ１２０、…ｎ１３０を有している。この多灯照明システム１００を制御するための制御信号を赤外線１０２に載せて送信するリモコン装置などの制御端末１０１が提供されている。
【００１１】
図２は、本実施の形態による多灯照明システムの一構成例を示す機能ブロック図である。
図２に示すように、本実施の形態による多灯照明システム１００は、多数の照明ユニットＡ１１０は、カラー光を作るためのＲＧＢの３原色のＬＥＤユニット１１１、１１２、１１３と、このＬＥＤユニット１１１〜１１３の照度を例えば％単位で制御するためのＬＥＤ照度ユニット１１４又はＬＥＤユニットのオン・オフを制御するためのＬＥＤオン・オフユニット１１５の少なくともいずれか一方と、制御端末１０１からの命令を理解し制御を行うための制御部１１６と、制御端末からのリモコン信号を受信するためのリモコン受信部１１８と、他の照明ユニット、例えばＢ１２０と連携するための通信部１１７とを有している。その他の照明ユニットＢ１２０の内部構成も同様であり、通信部１１７と通信部１２７との間が有線通信又は無線通信により連絡可能となっている。さらに、リモコン信号を受光するリモコン受信部１２８を有している。
【００１２】
この多灯照明システム１００は、複数の照明ユニットを、例えばマトリクス状に並べて１つのシート形状としたシステムであり、含まれる照明ユニットの個数は、個別に制御するエリアの大きさやＬＥＤ１１１〜１１３の指向性を加味して設計することができる。ＬＥＤ１１１〜１１３は、指向性を持たせることが容易である。従って、１つのシステムに含まれる照明ユニット数が多くなれば、エリア毎のより詳細な照明制御が可能となる。また、本実施の形態による照明ユニットは、ＬＥＤ照度ユニット１１４を具備することで、照度を個別に、かつ、スケーラブルに制御できるため、段階的な明るさの制御も可能となっている。
【００１３】
以下に、上記の多灯照明システムの応用例について説明する。上記のエリア毎のより詳細な照明制御機能により、例えば図３に示すような寝室内の赤ちゃんが寝ているベッド周辺のエリアＡＲ１のみを照明オフにより暗くし、その他のエリア、すなわち両親が起きているエリアＡＲ２を通常の照明状態に保つことができる。このようなエリア毎の照明のオン・オフ制御をきめ細かく行うことができる。
【００１４】
また、図４に示すように、赤ちゃんが寝ているエリアＡＲ３をオフ状態とし、そのエリアＡＲ３を基点として、ＡＲ４、ＡＲ５と段階的に照明を明るくしていくように制御することにより、両親から赤ちゃんの様子を良く見えるようにすることができるなど、よりきめ細かな照明に関する制御を行うことが可能である。
【００１５】
逆に、部屋全体が暗い中で一部のエリアのみを明るくして読書等を行うような場合も、同様に、必要なエリアの中心の部分のみを明るくし、その周囲を段階的に暗くするように制御することにより、その他のエリアに影響を及ぼすことなく、読書灯として必要な光量のみを確保することも可能である。或いは、エリアの大きさと光量とを、反比例させるようにして、電力消費を自動的に一定として節約するようにすることもできる。
【００１６】
次に、本発明の第２の実施の形態による多灯照明システムについて図面を参照しながら説明を行う。本実施の形態によるシステムは、第１の実施の形態によるシステムに関するエリアの細かな制御について、簡単なユーザ操作のみで行うものである。本実施の形態による制御技術は、照らすエリアの指定及び照明のオン・オフといった操作内容とを、ユーザが把持する制御端末で指し示し、制御端末を動かすことにより実現する。以下、図面を参照しながら、本発明の実施の形態による多灯照明システムについて説明する。適宜、図１〜４までも参照しながら説明を行う。図５は、本実施の形態による多灯照明システムに用いられる制御端末の一構成例を示す機能ブロック図である。図５に示すように、制御端末１０１は、人の動きを追随し、リモコンの傾きを正確に把握するための三軸や六軸などの加速度センサ２０１と、加速度センサ２０１の動作をオンにするための操作ボタン２０３と、加速度センサ２０１の動作データを記録するためのメモリ２０２と、記録されたメモリ２０２内のデータをユーザが意図する制御内容に変換する演算処理を行う演算部２０４と、その制御データを多灯照明システム１００に送信するためのリモコン発信部２０６と、発信のトリガを行う送信ボタン２０５と、を含んで構成される。レーザポインタユニット２０７は、任意に設けられ、制御端末が指示する位置の確認に用いられる。
【００１７】
尚、加速度センサ２０１は、移動ベクトルを検出することができる。これを移動距離に変換するためには、実際には一般的な加速度センサ２０１の他に、図示していないが、例えば天井に取り付けた赤外線受信機を必要となる。この赤外線受信機を利用して、制御端末１０１から出射される赤外線の強度に基づいて、制御端末１０１から赤外線受信機までの直線距離を求め、この直線距離と加速度センサ２０１により求められた移動ベクトルとによって、制御端末１０１が指示する位置を特定することができる。
【００１８】
或いは、特殊な加速度センサを使用することにより位置を特定することも可能である。加速度センサ内に姿勢情報を持っているデバイスを利用すると、動き出す前の状態(姿勢)のデータを元に姿勢補正が可能である。従って、天井に赤外線受信機を取り付けなくてもリモコンの指定先の正確な移動距離が求められ制御端末１０１が指示する位置を特定することができる。
【００１９】
上記のように構成された本実施の形態による多灯照明システムにおいて、ユーザが制御端末を利用して多灯照明システムの制御を行うパターンについて以下に説明する。
（１）パターン１：照明に関する位置を特定しない電源のオン・オフ
１）制御端末１０１を把持し、操作ボタン２０３を押すことにより加速度センサ２０１を動作状態とする。
２）例えば、照明をオンにしたい場合には○を、オフにしたい場合には×を制御端末１０１で描くように動かすことにより、加速度センサ２０１と赤外線受光部とからなる動作感知部が検出した制御端末１０１の動作に対応したデータ列をメモリ２０２に登録する。
３）演算部２０４が、メモリ２０２に登録されたデータからユーザの動作が○あるいは、×と判断し、それに沿った制御コードを作成し、再度メモリ２０２に登録する。
４）送信ボタン２０５を押すと、メモリ２０２から制御コードを呼び出し、リモコン発信部２０６経由で、照明ユニットＡ１１０のリモコン受信部１１８に送られる。
５）制御コードを受け取ったリモコン受信部１１８経由で制御部１１６に制御コードが送られる。
６）制御コードを判断した制御部１１６は、ＬＥＤオン・オフユニット１１５に命令し、１１１／１１２／１１３のＬＥＤユニットを制御し、オン又はオフなどのユーザの動作に従った制御を行う。
【００２０】
（２）パターン２：範囲を指定した電源のオン・オフ
１）操作ボタン２０３を押して操作を行う照明の範囲を囲むような動作により範囲指定を行う。上述のように、レーザポインタユニット２０７を使うことで、天井に照射されたポインタ位置によって指示した位置を確認することが可能である。
２）操作ボタン２０３を離すことにより、加速度センサ２０１のデータ列がメモリ２０２に登録される。
３）演算部２０４はデータ列より制御範囲の"相対"制御ユニット群を計算し、メモリ２０２に登録する。
４）上記パターン１で説明したオン・オフの動作を行う。
５）送信ボタン２０５を押すと、
ａ）範囲指定を行うための"相対"ＬＥＤユニット群データ
ｂ）制御内容を表す制御コード
ｃ）送信ボタンを押したときのリモコンの傾きデータ列
の３種類のデータが、照明ユニットＡ１１０のリモコン受信部１１８に送られる。
６）データを受けた照明ユニットＡ１１０は、制御部１１６でそれぞれに対応した処理を行う。
７）それと同時に、制御部１１６は、通信部１１７を使い、照明ユニットＢ１２０などの関連する照明ユニットに対して制御データを送り、同様にＬＥＤの制御を行う。
【００２１】
以下に、制御端末により範囲指定した照明の位置を検出するためのアルゴリズムについて図６を参照しながら説明を行う。
１）範囲指定（Ｓ１）
制御端末１０１を使い、一点鎖線で囲んだ範囲（Ａ１〜Ａ４）を指定する。範囲指定が終わったポイントＡのリモコンの傾きデータ列を、動作感知部（加速度センサと赤外線受信部）からデータとして取得する。この時点で、例えば「５*３のＬＥＤユニット」を選択したという”相対”ＬＥＤ群ユニットデータと、基準点の１つとなるリモコン傾きデータ列の取得が完了する。
２）送信処理（Ｓ２）
ポイントＢに設けられているリモコン受信ユニットに対して、上記を含めた操作データを送信する。この送信時には、ポイントＢに向けたときの制御端末（リモコン）の傾きデータ列を加速度センサからデータとして取得し、同時に送信する。
３）受信処理（Ｓ３）
受信ユニットは、ポイントＢの絶対位置データを持っている。
４）演算処理（Ｓ４）
“相対”ＬＥＤデータより、ポイントＢを起点とした操作対象である５*３のＬＥＤユニットを実線で囲んだ範囲ＡＲ１１に仮設定する。
【００２２】
ポイントＢのリモコン傾きデータと、絶対データと、ポイントＡのリモコン傾きデータと、に基づいて、矢印Ｙ１の先にあるポイントＡの絶対位置が演算結果として導き出される。この演算結果から、ポイントＡを起点とした５*３のＬＥＤユニット（Ａ１〜Ａ４）を、実際の操作対象ブロック（エリアＡＲ１２）として認識することができる。
【００２３】
また、図７に示すように、全ての照明ユニット２１０…がリモコン受信部を持たなくても、多灯照明システムのある特定の位置に複数個リモコン受信ユニット２５０を設けても良い。この場合に、リモコン受信部（図２に示されるリモコン受光部１１８或いは１２８）を持たない複数の照明ユニット以外に制御端末１０１からの信号を受けるためのリモコン受信ユニット２５０が構成要素の１つとして加わる。
【００２４】
上記のようなシステムにおいても、リモコン受信ユニットの多灯照明システム全体における絶対位置及びそこにデータを送る際のリモコン傾きデータから、制御すべき照明ユニットの範囲を導くことが可能である。従って、照明に関するエリア単位での制御を簡単に行うことができるという利点がある。
【産業上の利用可能性】
【００２５】
本発明は、多灯照明システムに利用可能である。
【図面の簡単な説明】
【００２６】
【図１】本発明の第１の実施の形態による多灯照明システムの全体構成例を示す概略図である。
【図２】本実施の形態による多灯照明システムの一構成例を示す機能ブロック図である。
【図３】エリア毎の照明のオン・オフ制御をきめ細かく行う例を示す図である。
【図４】エリア毎の照明のオン・オフ制御をよりきめ細かく行う例を示す図である。
【図５】本発明の実施の形態による多灯照明システムに用いられる制御端末の一構成例を示す機能ブロック図である。
【図６】制御端末により範囲指定した照明の位置を検出するためのアルゴリズムを示す図である。
【図７】多灯照明システムのある特定の位置に複数個リモコン受信ユニットを設けた例を示す図である。
【符号の説明】
【００２７】
１００…多灯照明システム、１０１…制御端末、１１０、１２０…照明ユニット、１１１〜１１３…ＬＥＤユニット、１１４…ＬＥＤ照度ユニット、１１５…ＬＥＤオン・オフユニット、１１６…制御部、１１８…リモコン受信部、１１７…通信部、１１８…リモコン受信部。
【図１】
2008262856.tif 000003
【図２】
2008262856.tif 000004
【図３】
2008262856.tif 000005
【図４】
2008262856.tif 000006
【図５】
2008262856.tif 000007
【図６】
2008262856.tif 000008
【図７】
2008262856.tif 000009